(57)【要約】【課題】本発明は自動車仮ナンバープレートの取り付け器具を提供する。【解決手段】本体（１）の左右先端部（２）（３）を内側に直角に曲げ、左右先端部（２）（３）を上方向に緩やかに曲げ、本体（１）の中心、両側の下側に取っ手（４）を設けて、取っ手（４）に重り（５）を設けたことを特徴とする。【選択図】図１
2018150021.tif 000002
【特許請求の範囲】
【請求項１】
本体（１）の左右先端部（２）（３）を内側に直角に曲げ、左右先端部（２）（３）を上方向に緩やかに曲げ、本体（１）の中心下側に取っ手（４）を設けて、取っ手（４）に重り（５）を設けたことを特徴とする仮ナンバープレート取り付け器具。
【請求項２】
本体（１）の左右先端部（２）（３）を内側に直角に曲げ、左右先端部（２）（３）を上方向に緩やかに曲げ、本体（１）の両側下側に取っ手（４）を設けて、取っ手（４）に重り（５）を設けた請求項１の仮ナンバープレート取り付け器具。
【発明の詳細な説明】
【技術分野】
【０００１】本発明は、自動車の仮ナンバープレートの取り付け器具に関するものである。
【背景技術】
【０００２】従来、仮ナンバープレート（臨時運行許可番号標、回送運行許可番号標）を取り付けるのに、車両の前面、及び後面の見やすい位置に、ボルト（ネジ）蝶ボルト、ナット、ひも、針金、磁石、テープなどで止めていた。【０００３】仮ナンバープレートを簡単に取り付け、取り外しの為にテープ、両面テープを使用するが、雨の日、ボディー面のワックス、ホコリなどで粘着しない、磁石（マグネット）は車両のボディーバンパーが樹脂で出来ているのは、磁石はくっつかない、ズレてしまい、落下してしまう。針金では傷がつきやすく何回でも使用できない。ひもでは、切れてしまうのが心配である。【０００４】以上の方法では、仮ナンバープレートを紛失してしまう心配がある為、ボルト、ナットで止めるのが一般的である。ボルトを締める、緩めるのに工具を必要とする。又、工具を使用しない、蝶ボルトを用いる。屋外で雨の日は傘をさして片手で仮ナンバープレートを持ち締める、緩めるのが面倒くさい。ボルトを落として、バンパーなどに傷をつけてしまう。【０００５】このような取り付け、取り外しでは非常に面倒である。この面倒が、公道での積載車の積み卸し、短い距離の走行では仮ナンバープレートを前面は、ダッシュボードに置き、又は取り付けをしない行為、コンプライアンス（法令順守）違反をしてしまう。
【発明の概要】
【発明が解決しようとする課題】
【０００６】これは次のような欠点があった。
仮ナンバープレートの取り付け、取り外しは単純な手作業であるが、ボルト、ナットなどを締める緩めることにより、ボルト、工具を落として、バンパーなどに傷をつけてしまうことがある。又、一台の車両に前面、後面の４ヶ所にボルトで締めるのに数分かかる。面倒くさくて前面はダッシュボードに置いたり、仮ナンバープレート本体を付けない、コンプライアンス違反をしてしまう。
【課題を解決するための手段】
【０００７】本体（１）の左右先端部（２）（３）を内側に直角に曲げ左右先端部（２）（３）を上方向に緩やかに曲げ、本体（１）の中心、両側の下側に取っ手（４）を設けて、取っ手（４）に重り（５）を設ける。
本発明は、以上の構成によりなる仮ナンバープレート取り付け器具である。
【発明の効果】
【０００８】本体に緩やかな曲りを設けた、左右先端部と本体、中心と両側に取っ手を付けて、取っ手に重りを設けた取り付け器具だから、仮ナンバープレートの取り付け、取り外しに数分かかっていたのが数秒で作業ができ、取っ手を持っての作業であるから、バンパーなどに傷を付けなくなり、先端部を仮ナンバープレートの穴と車両、取り付け穴に差し込むだけで簡単に使用でき、面倒くささを感じないのでコンプライアンスを厳守できる。
【図面の簡単な説明】
【０００９】
【図１】本発明の斜視図である。
【図２】本発明の斜視図である。
【図３】本発明の取り付けの断面図である。
【図４】本発明の取り付けの断面図である。
【図５】本発明の使用状態を示した斜視図である。
【図６】本発明の使用状態を示した斜視図である。
【発明の実施をするための形態】
【００１０】以下、発明の実施をするための形態について説明する。
本体（１）の左右先端部（２）（３）を内側に直角に曲げ、左右先端部（２）（３）を上方向に緩やかに曲げ本体（１）の中心、又は両側の下側に取っ手（４）を設けて、取っ手（４）に重り（５）を設けたことを特徴とする。
本発明は以上のような構造である。
本発明を使用するときは、取っ手を持ち、仮ナンバープレート、左右の穴に本体、左右の先端部を通して、車両ナンバープレートの取り付け穴に当てて［図３］差し込みながら取っ手を上方向から下方向に下す［図４］左右先端部が車両取り付け穴の裏側に引っかかって仮ナンバープレートが本体にぶら下がる。これで仮ナンバープレート取り付け完了である。［図５］以上が取り付け手順である。
【００１１】取り外し手順は仮ナンバープレートを持ち、取っ手を下方向から上方向に上げながら本体を引き抜く。そして、車両から仮ナンバープレートを離す。
絶対に仮ナンバープレートを落とし、紛失しないために、先端部の上方向の曲りは取っ手が上方向に上がらない限り、仮ナンバープレートが外れないようにするために、又は車両が走行中により振動、バウンドによって取っ手が簡単に上がらないために重りを設けるのを特徴とする。
【００１２】走行しない新車、中古車の展示車の社名プレート（化粧板）なども、取り付け可能である。［図６］見栄えを良くするために、取っ手、重りを小さくしてもよい。社名プレートを取り付けられる。
【符号の説明】
【００１３】１  本体
２  左先端部
３  右先端部
４  取っ手
５  重り
６  ボディー（バンパー）
７  車両取り付け穴
８  仮ナンバープレート穴
９  仮ナンバープレート
【図１】
2018150021.tif 000003
【図２】
2018150021.tif 000004
【図３】
2018150021.tif 000005
【図４】
2018150021.tif 000006
【図５】
2018150021.tif 000007
【図６】
2018150021.tif 000008
【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
本体（１）の左右先端部（２）（３）を内側に直角に曲げ、左右先端部（２）（３）を上方向に緩やかに曲げ、本体（１）の中心下側に取っ手（４）を設けて、取っ手（４）に重り（５）を設けた仮ナンバープレート取り付け器具であって、ボルト、ナット、ひも、針金、磁石、テープなどを用いずに取り付けることを特徴とする仮ナンバープレート取り付け器具。
【請求項２】
本体（１）の左右先端部（２）（３）を内側に直角に曲げ、左右先端部（２）（３）を上方向に緩やかに曲げ、本体（１）の両側下側に取っ手（４）を設けて、取っ手（４）に重り（５）を設けた仮ナンバープレート取り付け器具であって、ボルト、ナット、ひも、針金、磁石、テープなどを用いずに取り付けることを特徴とする仮ナンバープレート取り付け器具。
【手続補正２】
【補正対象書類名】明細書
【補正対象項目名】０００７
【補正方法】変更
【補正の内容】
【０００７】本発明は、本体（１）の左右先端部（２）（３）を内側に直角に曲げ、左右先端部（２）（３）を上方向に緩やかに曲げ本体（１）の中心、両側の下側に取っ手（４）を設けて取っ手（４）に重り（５）を設けてボルト、ナット、ひも、針金、磁石、テープなどを用いずに取り付けることを特徴とする、仮ナンバープレート取り付け器具である。